(57)【特許請求の範囲】
【請求項１】
広告情報と、当該広告情報の属性を示す属性情報とを関連付けて記憶する広告情報記憶部と、
端末に組み込まれた共通メニュー表示モジュールにより表示される、共通表示メニューサービスを利用する複数のサービスパートナーのそれぞれが提供する表示コンテンツに共通して表示される共通表示メニューに関する情報として、前記共通表示メニューに含まれる複数の前記表示コンテンツのリンクに対応する複数のアドレス情報を取得する取得部と、
取得された前記共通表示メニューに関する情報としての複数の前記アドレス情報のそれぞれに対応する属性に基づいて、前記共通表示メニューの属性を特定する特定部と、
特定した前記共通表示メニューの属性に基づいて、前記広告情報記憶部から広告情報を選択する選択部と、
選択された広告情報を前記共通表示メニューとともに前記端末に表示される広告情報として前記端末に送信する送信部と、
を備える広告サーバ。
【請求項２】
前記取得部は、前記共通表示メニューに関する情報として、前記共通表示メニューに含まれる複数のカテゴリそれぞれの選択履歴を取得し、
前記特定部は、前記選択履歴に基づいて、選択された回数が相対的に多いカテゴリに対応する属性を前記共通表示メニューの属性として特定する、
請求項１に記載の広告サーバ。
【請求項３】
前記取得部は、前記端末に表示される前記表示コンテンツに関する情報をさらに取得し、
前記特定部は、前記表示コンテンツに関する情報に基づいて、前記表示コンテンツの属性を特定し、
前記選択部は、特定した前記共通表示メニューの属性及び前記表示コンテンツの属性に基づいて、前記広告情報記憶部から広告情報を選択する、
請求項１又は２に記載の広告サーバ。
【請求項４】
前記取得部は、前記共通表示メニューに関する情報として、前記共通表示メニューに含まれる複数のカテゴリそれぞれに対応するコンテンツの更新頻度を示す情報を取得し、
前記特定部は、前記更新頻度を示す情報に基づいて、更新頻度が相対的に多いコンテンツのカテゴリに対応する属性を前記共通表示メニューの属性として特定する、
請求項１から３のいずれか１項に記載の広告サーバ。
【請求項５】
前記広告情報記憶部は、前記広告情報と前記属性情報とに、前記広告情報を表示させる時間帯をさらに関連付けて記憶し、
前記選択部は、現在時刻が属する時間帯にさらに基づいて、前記広告情報記憶部から前記広告情報を選択する、
請求項１から４のいずれか１項に記載の広告サーバ。
【請求項６】
前記取得部は、前記端末のユーザのウェブ上の行動履歴を示す行動履歴情報を取得し、
前記特定部は、前記行動履歴情報に基づいて前記ユーザの属性を特定し、
前記選択部は、前記ユーザの属性にさらに基づいて、前記広告情報記憶部から前記広告情報を選択する、
請求項１から５のいずれか１項に記載の広告サーバ。
【請求項７】
端末と、前記端末と通信可能に接続された広告サーバとを備える広告システムであって、
前記端末は、
前記端末に組み込まれた共通メニュー表示モジュールにより表示される、共通表示メニューサービスを利用する複数のサービスパートナーのそれぞれが提供する表示コンテンツに共通して表示され、複数の前記表示コンテンツへのリンクを含む共通表示メニューと、前記広告サーバから受信した広告情報とを含むメニュー画面を表示部に表示させる表示制御部を有し、
前記広告サーバは、
前記広告情報と、当該広告情報の属性を示す属性情報とを関連付けて記憶する広告情報記憶部と、
前記端末に表示される、前記共通表示メニューに関する情報として、前記共通表示メニューに含まれる複数の前記表示コンテンツのリンクに対応する複数のアドレス情報を取得する取得部と、
取得された前記共通表示メニューに関する情報としての複数の前記アドレス情報のそれぞれに対応する属性に基づいて、前記共通表示メニューの属性を特定する特定部と、
特定した前記共通表示メニューの属性に基づいて、前記広告情報記憶部から広告情報を選択する選択部と、
選択された広告情報を前記共通表示メニューとともに前記端末に表示される広告情報として前記端末に送信する送信部とを有する、
広告システム。
【請求項８】
端末に組み込まれた共通メニュー表示モジュールにより表示される、共通表示メニューサービスを利用する複数のサービスパートナーのそれぞれが提供する表示コンテンツに共通して表示される共通表示メニューに関する情報として、前記共通表示メニューに含まれる複数の前記表示コンテンツのリンクに対応する複数のアドレス情報を取得するステップと、
取得された前記共通表示メニューに関する情報としての複数の前記アドレス情報のそれぞれに対応する属性に基づいて、前記共通表示メニューの属性を特定するステップと、
特定した前記共通表示メニューの属性に基づいて、広告情報と当該広告情報の属性を示す属性情報とを関連付けて記憶する広告情報記憶部から広告情報を選択するステップと、
選択された広告情報を前記共通表示メニューとともに前記端末に表示される広告情報として前記端末に送信するステップと、
を備える広告送信方法。
【発明の詳細な説明】
【技術分野】
【０００１】
本発明は、広告サーバ、広告システム及び広告送信方法に関する。
【背景技術】
【０００２】
従来、ウェブコンテンツの内容を解析して当該ウェブコンテンツに適した広告を特定し、当該ウェブコンテンツに、特定した広告を表示させることが行われている（例えば、特許文献１参照）。このようにすることで、ウェブコンテンツにふさわしい広告が当該ウェブコンテンツに表示され、広告効果を高めることができる。
【先行技術文献】
【特許文献】
【０００３】
【特許文献１】特開２０１２−６８９５０号公報
【発明の概要】
【発明が解決しようとする課題】
【０００４】
ところで、広告主は、多くのウェブコンテンツに対して広告を掲載することを望んでいるものの、広告主が広告したい商品と関連性の高いウェブコンテンツは限られている。そこで、広告したい商品と関連性の低いウェブコンテンツに対して広告を表示させることも考えられるが、十分な広告効果が得られないという問題があった。
【０００５】
本発明はこれらの点に鑑みてなされたものであり、多くのコンテンツに対して広告効果の高い広告を表示させることができる広告サーバ、広告システム及び広告送信方法を提供することを目的とする。
【課題を解決するための手段】
【０００６】
本発明の第１の態様に係る広告サーバは、広告情報と、当該広告情報の属性を示す属性情報とを関連付けて記憶する広告情報記憶部と、端末に組み込まれた共通メニュー表示モジュールにより表示される、表示コンテンツに共通して表示される共通表示メニューに関する情報を取得する取得部と、前記共通表示メニューに関する情報に基づいて、前記共通表示メニューの属性を特定する特定部と、特定した前記共通表示メニューの属性に基づいて、前記広告情報記憶部から広告情報を選択する選択部と、選択された広告情報を前記端末に送信する送信部と、を備える。
【０００７】
前記取得部は、前記共通表示メニューに関する情報として、前記共通表示メニューに含まれる複数のカテゴリそれぞれの選択履歴を取得し、前記特定部は、前記選択履歴に基づいて、選択された回数が相対的に多いカテゴリに対応する属性を前記共通表示メニューの属性として特定してもよい。
【０００８】
前記取得部は、前記端末に表示される前記表示コンテンツに関する情報をさらに取得し、前記特定部は、前記表示コンテンツに関する情報に基づいて、前記表示コンテンツの属性を特定し、前記選択部は、特定した前記共通表示メニューの属性及び前記表示コンテンツの属性に基づいて、前記広告情報記憶部から広告情報を選択してもよい。
【０００９】
前記取得部は、前記共通表示メニューに関する情報として、前記共通表示メニューに含まれる複数のカテゴリそれぞれに対応するコンテンツの更新頻度を示す情報を取得し、前記特定部は、前記更新頻度を示す情報に基づいて、更新頻度が相対的に多いコンテンツのカテゴリに対応する属性を前記共通表示メニューの属性として特定してもよい。
【００１０】
前記広告情報記憶部は、前記広告情報と前記属性情報とに、前記広告情報を表示させる時間帯をさらに関連付けて記憶し、前記選択部は、現在時刻が属する時間帯にさらに基づいて、前記広告情報記憶部から前記広告情報を選択してもよい。
【００１１】
前記取得部は、前記端末のユーザのウェブ上の行動履歴を示す行動履歴情報を取得し、前記特定部は、前記行動履歴情報に基づいて前記ユーザの属性を特定し、前記選択部は、前記ユーザの属性にさらに基づいて、前記広告情報記憶部から前記広告情報を選択してもよい。
【００１２】
本発明の第２の態様に係る広告システムは、端末と、前記端末と通信可能に接続された広告サーバとを備える広告システムであって、前記端末は、前記端末に組み込まれた共通メニュー表示モジュールにより表示される表示コンテンツに共通して表示され、カテゴリごとに表示コンテンツへのリンクを含む共通表示メニューと、前記広告サーバから受信した広告情報とを含むメニュー画面を表示部に表示させる表示制御部を有し、前記広告サーバは、前記広告情報と、当該広告情報の属性を示す属性情報とを関連付けて記憶する広告情報記憶部と、前記端末に表示される、前記共通表示メニューに関する情報を取得する取得部と、前記共通表示メニューに関する情報に基づいて、前記共通表示メニューの属性を特定する特定部と、特定した前記共通表示メニューの属性に基づいて、前記広告情報記憶部から広告情報を選択する選択部と、選択された広告情報を前記端末に送信する送信部とを有する。
【００１３】
本発明の第３の態様に係る広告送信方法は、端末に組み込まれた共通メニュー表示モジュールにより表示される、表示コンテンツに共通して表示される共通表示メニューに関する情報を取得するステップと、前記共通表示メニューに関する情報に基づいて、前記共通表示メニューの属性を特定するステップと、特定した前記共通表示メニューの属性に基づいて、広告情報と当該広告情報の属性を示す属性情報とを関連付けて記憶する広告情報記憶部から広告情報を選択するステップと、選択された広告情報を前記端末に送信するステップと、を備える。
【発明の効果】
【００１４】
本発明によれば、多くのコンテンツに対して広告効果の高い広告を表示させることができるという効果を奏する。
【図面の簡単な説明】
【００１５】
【図１】第１の実施形態の広告システムの構成例を示す図である。
【図２】端末の表示部にサービスコンテンツが表示された例を示す図である。
【図３】端末の表示部にサービスコンテンツのメニュー画面が表示された例を示す図である。
【図４】メニュー画面の全体構成の例を示す図である。
【図５】第１の実施形態に係る端末及びメニュー生成サーバの機能構成図である。
【図６】第１の実施形態に係る複数のサービスパートナー情報の一例を示す図である。
【図７】第１の実施形態に係る広告サーバの機能構成図である。
【図８】第１の実施形態に係る属性管理情報の一例を示す図である。
【図９】第１の実施形態に係る広告管理情報の一例を示す図である。
【図１０】第１の実施形態に係る広告システムにおいて、共通表示メニューが表示されるまでの処理の流れを示すシーケンス図である。
【図１１】第１の実施形態に係る広告システムにおいて、共通表示メニューが表示されてから、広告情報が表示されるまでの処理の流れを示すシーケンス図である。
【図１２】第２の実施形態に係る選択履歴情報を示す図である。
【図１３】第４の実施形態に係る広告管理情報の一例を示す図である。
【発明を実施するための形態】
【００１６】
＜第１の実施形態＞
［広告システムＳの構成例］
図１は、第１の実施形態の広告システムＳの構成例を示す図である。
広告システムＳは、複数のサービスコンテンツのそれぞれに共通表示メニューを表示させる所定サービスとしての共通表示メニューサービスにおいて、広告情報を共通表示メニューに表示させるためのシステムである。広告システムＳは、端末１と、共通表示メニューを生成するメニュー生成サーバ２と、共通表示メニューに表示される広告情報を選択する広告サーバ３と、サービスコンテンツを提供する複数のコンテンツサーバ４とから構成されている。端末１と、メニュー生成サーバ２と、広告サーバ３と、複数のコンテンツサーバ４とは、通信ネットワーク５を介して通信可能に接続されている。
【００１７】
コンテンツサーバ４は、共通表示メニューサービスを利用する複数のサービスパートナーがそれぞれ管理するサーバである。
端末１は、例えば、スマートフォン等の携帯端末であり、共通表示メニューを表示するための共通メニュー表示モジュールが予め組み込まれている。端末１は、複数のコンテンツサーバ４にアクセスしてサービスコンテンツを受信し、当該サービスコンテンツを端末１が備える表示部１２に表示させる。図２は、端末１の表示部１２にサービスコンテンツが表示された例を示す図である。図２に示すように、表示部１２にはニュースサイト「ＡＡＡニュース」に関するサービスコンテンツが表示されているとともに、タブ１２１が表示されている。以下、表示部１２に表示されているサービスコンテンツを表示コンテンツともいう。
【００１８】
端末１のユーザがタブ１２１にタッチすると、表示コンテンツの表示画面に代わって、表示コンテンツのメニュー画面が表示される。図３は、端末１の表示部１２に表示コンテンツのメニュー画面が表示された例を示す図である。図４は、表示コンテンツのメニュー画面の全体構成の一例を示す図である。以下、表示コンテンツのメニュー画面を、単にメニュー画面という。
【００１９】
メニュー画面には、図４に示すように、広告枠と、サイトサービスメニューと、共通表示メニューと、タブ１２２とが含まれている。端末１の表示部１２には、図３に示すように、メニュー画面の少なくとも一部が表示される。
【００２０】
サイトサービスメニューは、メニュー画面が表示される直前に表示されていた表示コンテンツのメニューを表示するためのものであり、コンテンツサーバ４によって提供される。例えば、図３には、ＡＡＡニュースのメニューが表示されている。
【００２１】
共通表示メニューは、メニュー生成サーバ２によって提供され、共通表示メニューサービスに加入している複数のパートナーのコンテンツに共通して表示されるメニューである。共通表示メニューには、ニュースやショッピングといった複数のカテゴリが表示されており、これらのカテゴリのそれぞれには、共通表示メニューサービスを利用する複数のサービスパートナーの表示コンテンツを呼び出すアドレス情報（リンク）が関連付けられている。
【００２２】
端末１のユーザが、共通表示メニューに表示されているカテゴリ名にタッチすると、当該カテゴリに対応するアドレス情報に基づいて、サービスパートナーのサービスコンテンツが表示される。例えば、ユーザは、図４に示したＡＡＡニュースの表示コンテンツの共通表示メニューにおいて、カテゴリ名「テレビ・ラジオ」をタッチすることにより、ＡＡＡニュースのサービスパートナーと異なるサービスパートナーが運営するＢＢＢラジオのサービスコンテンツにアクセスすることができる。これにより、現在表示されている表示コンテンツから、共通表示メニューサービスを利用する他のサービスパートナーのサービスコンテンツにユーザを誘導させることができる。したがって、広告システムＳを利用するサービスパートナーは、自社の顧客だけでなく、他のサービスパートナーのサービスコンテンツにアクセスした他社の顧客から表示コンテンツへのアクセスを受けることができるので、集客効果を向上させることができる。
【００２３】
広告枠は、広告サーバ３が選択した広告情報を表示するための表示領域である。広告サーバ３は、表示コンテンツ及び共通表示メニューの属性に基づいて、複数の広告情報から一の広告情報を選択する。広告情報が、共通表示メニューの属性にも基づいて選択されていれば、選択された広告情報は、共通表示メニューの少なくともいずれかに関連する情報である可能性が高く、共通表示メニューを操作するユーザに関心を持ってもらえる可能性がある。したがって、表示コンテンツ及び共通表示メニューの属性に基づいて選択された広告情報が、表示コンテンツの属性に対応しない広告情報であっても、当該広告情報は、共通表示メニューの少なくともいずれかに関連性のある広告情報となる。よって、広告情報に関連する表示コンテンツが表示されていることを条件に広告情報を表示する場合よりも広告情報を表示する頻度を高くしつつ、関心を持つ可能性が比較的高いユーザに対して広告情報を表示できるので、ランダムに広告情報を表示する場合に比べて高い広告効果を得ることができる。
【００２４】
その後、広告サーバ３は、選択した広告情報を端末１に送信する。端末１のユーザによって広告枠に表示されている広告情報がタッチされると、表示部１２に、当該広告情報に対応する広告主のコンテンツが表示される。
【００２５】
タブ１２２は、表示コンテンツの表示画面に遷移するための画像である。例えば、図３に示す状態において、端末１のユーザによってタブ１２２がタッチされると、図２に示す表示コンテンツの画面が再表示される。
【００２６】
続いて、広告システムＳを構成する端末１、メニュー生成サーバ２及び広告サーバ３の機能構成について説明する。図５は、第１の実施形態に係る端末１及びメニュー生成サーバ２の機能構成図である。
【００２７】
［端末１の構成例］
まず、端末１の機能構成について説明する。端末１は、入力部１１と、表示部１２と、無線部１３と、記憶部１４と、制御部１５とを備える。
【００２８】
入力部１１は、例えば、ボタンや、表示部１２に重畳して配置される接触センサ等により構成されており、端末１のユーザから操作入力を受け付ける。
表示部１２は、例えば、液晶ディスプレイや有機ＥＬ（Electro-Luminescence）ディスプレイ等により構成されており、制御部１５の制御に応じて文字や図形等を表示する。
【００２９】
無線部１３は、制御部１５から出力された信号を変調してＲＦ（Radio Frequency）信号を生成し、アンテナ（不図示）を介して当該ＲＦ信号を基地局（不図示）又は無線ＬＡＮ等のアクセスポイント（不図示）に無線送信する。無線部１３は、アンテナを介して基地局又はアクセスポイントから受信したＲＦ信号を復調し、復調により得られた信号を制御部１５に出力する。以下の説明において、端末１は、無線部１３を介してメニュー生成サーバ２、広告サーバ３及びコンテンツサーバ４と通信を行うものとする。
【００３０】
記憶部１４は、例えば、ＲＯＭ及びＲＡＭ等により構成される。記憶部１４は、端末１を機能させるための各種プログラムを記憶する。記憶部１４は、表示コンテンツ、及び表示コンテンツに共通して表示される共通表示メニューを表示部１２に表示させる共通メニュー表示モジュールが記憶されている。例えば、記憶部１４は、共通メニュー表示モジュールとして、端末１の制御部１５を、後述する端末送信部１５１、端末受信部１５２、表示制御部１５３として機能させるためのウェブブラウザプログラムを記憶する。記憶部１４は、外部メモリ等の記憶媒体に記憶されたプログラムを読み取って記憶してもよく、通信ネットワーク５を介して外部機器からダウンロードされたプログラムを記憶してもよい。
【００３１】
制御部１５は、例えば、ＣＰＵにより構成される。制御部１５は、記憶部１４に記憶されている各種プログラムを実行することにより、端末１に係る機能を統括的に制御する。制御部１５は、端末送信部１５１と、端末受信部１５２と、表示制御部１５３とを備える。
【００３２】
端末送信部１５１は、入力部１１がサービスコンテンツの取得操作を受け付けたことに応じて、コンテンツサーバ４に、サービスコンテンツの取得リクエストを送信する。
端末受信部１５２は、コンテンツサーバ４から、当該取得リクエストに対応するサービスコンテンツを受信するとともに、当該サービスコンテンツのサイトサービスメニューを受信する。
【００３３】
表示制御部１５３は、図２に示すように、コンテンツサーバ４から受信したサービスコンテンツと、メニュー画面を表示させるためのタブ１２１とを表示部１２に表示させる。ここで、サービスコンテンツのサイトサービスメニューは、タブ１２１をタッチした後に表示されることから表示待ち状態となる。このため、サイトサービスメニューは、端末受信部１５２によって、記憶部１４に一時的に記憶される。
【００３４】
その後、入力部１１によってタブ１２１を選択する操作を受け付けると、表示制御部１５３は、表示部１２にメニュー画面を表示させ、当該メニュー画面に記憶部１４に一時的に記憶されているサイトサービスメニューを表示させる。
【００３５】
ここで、メニュー画面のソースコードには、共通表示メニューをメニュー生成サーバ２から取得するためのスクリプトが含まれており、端末送信部１５１は、当該スクリプトに基づいて、メニュー生成サーバ２に共通表示メニューの取得リクエストを送信する。例えば、端末送信部１５１は、Ａｊａｘを使用して、取得リクエストを送信する。
【００３６】
端末受信部１５２は、メニュー生成サーバ２から共通表示メニューを受信する。
表示制御部１５３は、端末受信部１５２が受信した共通表示メニューを表示部１２に表示されているメニュー画面に表示させる。このようにすることで、表示制御部１５３は、表示コンテンツに係るサイトサービスメニューの表示と、共通表示メニューの表示とを異なる処理として独立して実行する。
【００３７】
その後、端末送信部１５１は、メニュー画面のソースコードに含まれている、広告情報を広告サーバ３から取得するためのスクリプトに基づいて、広告サーバ３に広告情報の取得リクエストを送信する。ここで、端末送信部１５１は、広告情報の取得リクエストとともに、表示コンテンツに関する情報と、共通表示メニューに関する情報とを広告サーバ３に送信する。表示コンテンツに関する情報は、表示コンテンツのアドレス情報である。また、共通表示メニューに関する情報は、共通表示メニューに含まれる複数のリンクのそれぞれに対応するサービスコンテンツのアドレス情報である。なお、共通表示メニューに関する情報は、アドレス情報が含まれているものであればよく、共通表示メニューそのものであってもよい。
【００３８】
端末受信部１５２が広告サーバ３から広告情報を受信すると、表示制御部１５３は、端末受信部１５２が受信した広告情報を表示部１２に表示されているメニュー画面に表示させる。
【００３９】
［メニュー生成サーバ２の構成例］
続いて、メニュー生成サーバ２の機能構成について説明する。メニュー生成サーバ２は、記憶部２１と、制御部２２とを備える。
【００４０】
記憶部２１は、例えば、ＲＯＭ及びＲＡＭ等により構成される。記憶部２１は、メニュー生成サーバ２を機能させるための各種プログラムを記憶する。例えば、記憶部２１は、メニュー生成サーバ２の制御部２２を、後述するサーバ受信部２２１、アドレス特定部２２２、生成部２２３、サーバ送信部２２４として機能させるためのメニュー生成プログラムを記憶する。記憶部２１は、外部メモリ等の記憶媒体に記憶されたプログラムを読み取って記憶してもよく、通信ネットワーク５を介して外部機器からダウンロードされたプログラムを記憶してもよい。
【００４１】
また、記憶部２１は、共通表示メニューサービスを利用しているサービスパートナーのサービスコンテンツを呼び出す情報を記憶している。具体的には、記憶部２１は、サービスパートナー情報を複数記憶するサービスパートナー情報記憶部２１１を備える。図６は、第１の実施形態に係る複数のサービスパートナー情報の一例を示す図である。図６に示すように、サービスパートナー情報は、サービスコンテンツの名称と、サービスコンテンツを呼び出すアドレス情報と、当該サービスコンテンツが属するカテゴリとを関連付けた情報である。なお、サービスコンテンツを呼び出すアドレス情報は、例えばＷｅｂページを読み出すためのＵＲＬであってもよいし、アプリケーション起動指示を含むように記述されたＵＲＬスキームであってもよい。ここで、端末１は、起動指示されたアプリケーションが端末１にインストールされていない場合には、アプリケーションをインストールするためのストアサイトのコンテンツを表示部１２に表示させ、アプリケーションがインストールされている場合には、起動指示されたアプリケーションを起動する。
【００４２】
制御部２２は、例えば、ＣＰＵにより構成される。制御部２２は、記憶部２１に記憶されている各種プログラムを実行することにより、メニュー生成サーバ２に係る機能を統括的に制御する。制御部２２は、サーバ受信部２２１と、アドレス特定部２２２と、生成部２２３と、サーバ送信部２２４とを備える。
【００４３】
サーバ受信部２２１は、端末１から、共通表示メニューの取得リクエストを受信する。
アドレス特定部２２２は、サーバ受信部２２１が共通表示メニューの取得リクエストを受信すると、サービスパートナー情報記憶部２１１に記憶されている複数のサービスパートナー情報を参照し、共通表示メニューのカテゴリに対応するサービスコンテンツのアドレス情報を特定する。ここで、共通表示メニューに表示されるカテゴリは、予め定められているものとする。
【００４４】
また、アドレス特定部２２２は、共通表示メニューのカテゴリに対応するサービスコンテンツが複数存在する場合、これらのサービスコンテンツのうち、いずれかのサービスコンテンツをランダムに特定してもよい。また、アドレス特定部２２２は、一のカテゴリに対して、複数のサービスコンテンツを特定してもよい。
【００４５】
生成部２２３は、カテゴリと、アドレス特定部２２２が特定したアドレス情報とを関連付けて含む共通表示メニューを生成する。生成部２２３は、アドレス特定部２２２が一のカテゴリに対して複数のサービスコンテンツを特定した場合、共通表示メニューに表示されるカテゴリが選択されたことに応じて、当該カテゴリに関連する複数のサービスコンテンツのアドレスを表示するように当該共通表示メニューを生成する。
【００４６】
ここで、生成部２２３は、共通表示メニューにおいて、カテゴリ、サービスコンテンツ名、サービスコンテンツに対応するアイコンの少なくともいずれかを表示させてもよい。例えば、生成部２２３は、共通表示メニューにおいて、カテゴリとサービスコンテンツ名とを併記したり、カテゴリの代わりにサービスコンテンツ名を表示させたりしてもよい。また、生成部２２３は、共通表示メニューに表示されるサービスコンテンツが、ウェブページであるか、アプリケーションであるかについて区別して表示させるようにしてもよい。
サーバ送信部２２４は、生成部２２３が生成した共通表示メニューを、端末１に送信する。
【００４７】
［広告サーバ３の構成例］
続いて、広告サーバ３の機能構成について説明する。図７は、第１の実施形態に係る広告サーバ３の機能構成図である。広告サーバ３は、記憶部３１と、制御部３２とを備える。
【００４８】
記憶部３１は、例えば、ＲＯＭ及びＲＡＭ等により構成される。記憶部３１は、広告サーバ３を機能させるための各種プログラムを記憶する。例えば、記憶部３１は、広告サーバ３の制御部３２を、後述する取得部３２１、特定部３２２、選択部３２３、広告送信部３２４として機能させるためのプログラムを記憶する。記憶部３１は、外部メモリ等の記憶媒体に記憶されたプログラムを読み取って記憶してもよく、通信ネットワーク５を介して外部機器からダウンロードされたプログラムを記憶してもよい。
【００４９】
また、記憶部３１は、サービスコンテンツ名と、サービスコンテンツのアドレス情報と、サービスコンテンツの属性情報とを関連付けて属性管理情報として記憶する属性管理情報記憶部３１１を備える。図８は、第１の実施形態に係る属性管理情報の一例を示す図である。
【００５０】
また、記憶部３１は、広告情報と、当該広告情報の属性を示す属性情報とを関連付けて広告管理情報として記憶する広告情報記憶部３１２を備える。図９は、第１の実施形態に係る広告管理情報の一例を示す図である。図９に示すように、広告管理情報は、広告情報としての広告ＩＤ、広告コンテンツ及び広告画像と、広告の属性を示す属性情報とを関連付けた情報である。なお、広告情報には、広告画像の代わりに広告メッセージが含まれていてもよい。
【００５１】
制御部３２は、例えば、ＣＰＵにより構成される。制御部３２は、記憶部３１に記憶されている各種プログラムを実行することにより、広告サーバ３に係る機能を統括的に制御する。制御部３２は、取得部３２１と、特定部３２２と、選択部３２３と、広告送信部３２４とを備える。
【００５２】
取得部３２１は、端末１から、当該端末１に表示されている共通表示メニューに関する情報と、表示コンテンツに関する情報とを取得する。具体的には、取得部３２１は、端末１から広告情報の取得リクエストとともに送信された共通表示メニューに関する情報として、共通表示メニューに含まれるリンクに対応するサービスコンテンツのアドレス情報を取得する。また、取得部３２１は、端末１から広告情報の取得リクエストとともに送信された表示コンテンツに関する情報として、表示コンテンツのアドレス情報を取得する。
【００５３】
特定部３２２は、取得部３２１が取得したサービスコンテンツのアドレス情報に基づいて、共通表示メニューの属性を特定する。具体的には、特定部３２２は、記憶部３１の属性管理情報を参照し、取得部３２１が取得したサービスコンテンツのアドレス情報に関連付けられている属性情報を共通表示メニューの属性と特定する。例えば、共通表示メニューの「ショッピング」に衣料品を販売する会社のサービスコンテンツのアドレス情報と、宝飾品を販売する会社のサービスコンテンツのアドレス情報とが含まれている場合、特定部３２２が特定する共通表示メニューの属性には、「衣料品」、「宝飾品」という属性が含まれることになる。
【００５４】
また、特定部３２２は、取得部３２１が取得した表示コンテンツのアドレス情報に基づいて、表示コンテンツの属性を特定する。具体的には、特定部３２２は、記憶部３１の属性管理情報を参照し、取得部３２１が取得した表示コンテンツのアドレス情報に関連付けられている属性情報を表示コンテンツの属性と特定する。
【００５５】
選択部３２３は、特定した共通表示メニューの属性及び表示コンテンツの属性に基づいて、記憶部３１の広告情報記憶部３１２から広告情報を選択する。具体的には、選択部３２３は、広告情報記憶部３１２を参照し、特定された表示コンテンツの属性と、共通表示メニューの属性とのいずれかに関連する広告情報を選択する。上記の例のように、共通表示メニューの属性に「衣料品」、「宝飾品」という属性が含まれる場合、選択部３２３は、表示コンテンツの属性が「衣料品」又は「宝飾品」に関連しない属性であっても、「衣料品」又は「宝飾品」に関連する広告情報を選択することができる。
【００５６】
なお、選択部３２３は、特定された表示コンテンツの属性と、共通表示メニューの属性とに関連する広告情報、特定された表示コンテンツの属性のみに関連する広告情報、又は特定された共通表示メニューの属性のみに関連する広告情報を選択してもよい。このようにすることで、メニュー画面を構成するサイトサービスメニュー及び共通表示メニューの少なくともいずれかに関連する広告情報を選択することができる。
広告送信部３２４は、選択された広告情報を端末１に送信する。
【００５７】
［広告情報の表示に係るシーケンス］
続いて、端末１のメニュー画面に広告情報が表示されるまでの処理の流れについて説明する。まず、共通表示メニューが表示されるまでの処理の流れについて説明する。図１０は、第１の実施形態に係る広告システムＳにおいて、共通表示メニューが表示されるまでの処理の流れを示すシーケンス図である。
【００５８】
まず、端末１の端末送信部１５１は、コンテンツサーバ４に、サービスコンテンツの取得リクエストを送信する。
コンテンツサーバ４は、サービスコンテンツの取得リクエストを受信したことに応じて、自身の記憶部に記憶されているサービスコンテンツ及びサイトサービスメニューを取得し（Ｓ１０）、取得したサービスコンテンツ及びサイトサービスメニューを端末１に送信する。
【００５９】
続いて、端末受信部１５２が、コンテンツサーバ４からサービスコンテンツ及びサイトサービスメニューを受信すると、表示制御部１５３は、当該サービスコンテンツと、メニュー画面を表示させるためのタブ１２１とを表示部１２に表示させる（Ｓ２０）。
【００６０】
続いて、表示制御部１５３は、タブ１２１が選択されたか否かを判定する（Ｓ３０）。表示制御部１５３は、タブ１２１が選択されたと判定すると、表示部１２にメニュー画面を表示させ、コンテンツサーバ４から受信したサイトサービスメニューを当該メニュー画面に表示させる（Ｓ４０）。
【００６１】
続いて、端末送信部１５１は、メニュー画面に含まれている、共通表示メニューをメニュー生成サーバ２から取得するためのスクリプトに基づいて、メニュー生成サーバ２に共通表示メニューの取得リクエストを送信する。
【００６２】
続いて、サーバ受信部２２１が、端末１から共通表示メニューの取得リクエストを受信すると、アドレス特定部２２２は、サービスパートナー情報記憶部２１１を参照し、共通表示メニューのカテゴリに対応するサービスコンテンツのアドレス情報を特定する（Ｓ５０）。
【００６３】
続いて、生成部２２３は、カテゴリと、アドレス特定部２２２が特定したアドレス情報とを関連付けて含む共通表示メニューを生成する（Ｓ６０）。サーバ送信部２２４は、生成された共通表示メニューを、端末１に送信する。
【００６４】
続いて、端末受信部１５２が、メニュー生成サーバ２から共通表示メニューを受信すると、表示制御部１５３は、当該共通表示メニューを表示部１２に表示されているメニュー画面に表示させる（Ｓ７０）。
【００６５】
続いて、共通表示メニューが表示されてから、広告情報が表示されるまでの処理の流れについて説明する。図１１は、第１の実施形態に係る広告システムＳにおいて、共通表示メニューが表示されてから、広告情報が表示されるまでの処理の流れを示すシーケンス図である。
【００６６】
端末送信部１５１は、共通表示メニューがメニュー画面に表示された後、メニュー画面に含まれている、広告情報を広告サーバ３から取得するためのスクリプトに基づいて、広告サーバ３に広告情報の取得リクエストを送信する。ここで、端末送信部１５１は、広告情報の取得リクエストとともに、共通表示メニューに対応するサービスコンテンツのアドレス情報と、表示コンテンツのアドレス情報とを広告サーバ３に送信する。
【００６７】
続いて、取得部３２１が、広告情報の取得リクエスト、共通表示メニューに対応するサービスコンテンツのアドレス情報、及び表示コンテンツのアドレス情報を受信すると、特定部３２２は、共通表示メニューに対応するサービスコンテンツのアドレス情報、及び表示コンテンツのアドレス情報に基づいて、共通表示メニューの属性及び表示コンテンツの属性を特定する（Ｓ８０）。
【００６８】
続いて、選択部３２３は、特定した共通表示メニューの属性及び表示コンテンツの属性に基づいて、記憶部３１の広告情報記憶部３１２から広告情報を選択する（Ｓ９０）。続いて、広告送信部３２４は、メニュー画面に表示する広告情報として、選択された広告情報を端末１に送信する。
【００６９】
続いて、端末受信部１５２が広告サーバ３から広告情報を受信すると、表示制御部１５３は、端末受信部１５２が受信した広告情報を表示部１２に表示されているメニュー画面に表示させる（Ｓ１００）。
【００７０】
［第１の実施形態における効果］
以上のとおり、広告サーバ３は、共通表示メニューの属性を特定し、当該属性に基づいて選択した広告情報をメニュー画面に表示する広告情報として端末１に送信する。共通表示メニューの属性に関連する広告情報を選択することで、広告サーバ３は、メニュー画面に関連性の高い広告情報を幅広く選択することができ、結果として、共通表示メニューが表示される多くのコンテンツに対して広告を表示することで、広告の表示頻度を高めつつ、広告効果の高い広告を表示させることができる。
【００７１】
＜第２の実施形態＞
［共通表示メニューに含まれるカテゴリの選択履歴に基づいて広告情報を選択する］
続いて、第２の実施形態について説明する。共通メニューに表示される複数のカテゴリは、選択される回数がそれぞれ異なっており、例えば、選択された回数が多いカテゴリに関連する広告情報は、選択された回数が少ないカテゴリに関連する広告情報に比べて、多くのユーザにとっての関心が高いと考えられる。そこで、第２の実施形態では、広告サーバ３は、共通表示メニューに含まれるカテゴリの選択履歴に基づいて、多くのユーザにとって関心が高いと考えられる属性を特定し、当該属性に対応する広告情報を選択する。以下、第２の実施形態について図面を参照して説明する。なお、第１の実施形態と同様の構成については同一の符号を付し、詳細な説明を省略する。
【００７２】
第２の実施形態において、メニュー生成サーバ２の記憶部２１は、共通表示メニューに含まれる複数のカテゴリそれぞれが選択された回数を示す選択履歴情報を記憶する。図１２は、第２の実施形態に係る選択履歴情報を示す図である。
【００７３】
具体的には、選択履歴情報は、以下のように更新される。
まず、メニュー生成サーバ２の生成部２２３は、共通表示メニューを生成する際に、各カテゴリに関連するサービスコンテンツのアドレス情報を、メニュー生成サーバ２を経由して当該サービスコンテンツにアクセスするリダイレクト形式のアドレス情報に変換する。
【００７４】
その後、端末１において、共通表示メニューに表示されているカテゴリ名が選択されると、メニュー生成サーバ２にサービスコンテンツの取得リクエストが送信される。メニュー生成サーバ２のサーバ受信部２２１が当該取得リクエストを受信すると、サーバ送信部２２４は、当該取得リクエストに対応するカテゴリが選択されたと判定する。そして、サーバ送信部２２４は、記憶部２１の選択履歴情報を参照し、当該カテゴリの選択回数を更新するとともに、取得リクエストに対応するサービスコンテンツのページにリダイレクトする。
【００７５】
広告サーバ３の取得部３２１は、メニュー生成サーバ２から、共通表示メニューに関する情報として、共通表示メニューに含まれる複数のカテゴリそれぞれの選択履歴を取得する。具体的には、取得部３２１は、端末１から広告情報の取得リクエスト、サービスコンテンツのアドレス情報及び表示コンテンツのアドレス情報を受信したことに応じて、メニュー生成サーバ２から選択履歴情報を取得する。
【００７６】
特定部３２２は、選択履歴情報に基づいて、選択された回数が相対的に多いカテゴリに対応する属性を共通表示メニューの属性として特定する。具体的には、特定部３２２は、共通表示メニューに対応するサービスコンテンツのアドレス情報のうち、選択された回数が相対的に多いカテゴリに対応するサービスコンテンツのアドレス情報に基づいて、共通表示メニューの属性を特定する。
【００７７】
また、特定部３２２は、取得部３２１が取得した表示コンテンツのアドレス情報に関連付けられている属性情報を表示コンテンツの属性と特定する。
選択部３２３は、特定した共通表示メニューの属性及び表示コンテンツの属性に基づいて、記憶部３１の広告情報記憶部３１２から広告情報を選択する。
【００７８】
［第２の実施形態における効果］
以上のとおり、第２の実施形態の広告サーバ３は、共通表示メニューに含まれる複数のカテゴリそれぞれの選択履歴に基づいて、選択された回数が相対的に多いカテゴリに対応する属性を共通表示メニューの属性として特定する。このようにすることで、多くのユーザにとって関心が高いと考えられる広告情報をメニュー画面に表示させることができる。
【００７９】
＜第３の実施形態＞
［共通表示メニューに対応するサービスコンテンツの更新頻度に基づいて広告情報を選択する］
続いて、第３の実施形態について説明する。共通メニューに表示される複数のカテゴリそれぞれに対応するサービスコンテンツは、更新される回数がそれぞれ異なっている。例えば、更新される回数が多いサービスコンテンツは、更新される回数が少ないサービスコンテンツに比べて、多くのユーザにとって関心が高いと考えられ、更新される回数が多いサービスコンテンツに関連する広告情報を表示させることで、高い広告効果が期待できる。そこで、第３の実施形態では、広告サーバ３は、共通表示メニューに含まれるカテゴリに対応するサービスコンテンツの更新頻度に基づいて、多くのユーザにとって関心が高いと考えられる属性を特定し、当該属性に対応する広告情報を選択する。
【００８０】
第３の実施形態において、メニュー生成サーバ２の記憶部２１は、共通表示メニューに含まれる複数のカテゴリそれぞれに対応するサービスコンテンツが更新された回数を示す更新頻度情報を記憶する。更新頻度情報は、例えば、メニュー生成サーバ２の制御部２２によって更新される。具体的には、制御部２２は、複数のカテゴリそれぞれに対応するサービスコンテンツを定期的に取得し、取得したサービスコンテンツの内容が前回取得した内容と比べて変化している場合に、更新頻度情報を更新する。
【００８１】
広告サーバ３の取得部３２１は、メニュー生成サーバ２から、共通表示メニューに関する情報として、共通表示メニューに含まれる複数のカテゴリそれぞれに対応するサービスコンテンツの更新頻度を示す更新頻度情報を取得する。
【００８２】
特定部３２２は、更新頻度情報に基づいて、共通表示メニューに含まれる複数のカテゴリに対応するサービスコンテンツのうち、更新された回数が相対的に多いサービスコンテンツのカテゴリに対応する属性を共通表示メニューの属性として特定する。また、特定部３２２は、取得部３２１が取得した表示コンテンツのアドレス情報に関連付けられている属性情報を表示コンテンツの属性と特定する。
選択部３２３は、特定した共通表示メニューの属性及び表示コンテンツの属性に基づいて、記憶部３１の広告情報記憶部３１２から広告情報を選択する。
【００８３】
［第３の実施形態における効果］
以上のとおり、第３の実施形態の広告サーバ３は、共通表示メニューに含まれる複数のカテゴリそれぞれに対応するサービスコンテンツの更新頻度に基づいて、更新された回数が相対的に多いカテゴリに対応する属性を共通表示メニューの属性として特定する。このようにすることで、多くのユーザにとって関心が高いと考えられる広告情報をメニュー画面に表示させることができる。
【００８４】
＜第４の実施形態＞
［表示時間によって異なる広告情報を選択する］
続いて、第４の実施形態について説明する。端末１のユーザが関心を持つ属性は、当該ユーザの生活リズムによって異なる場合がある。例えば、端末１のユーザが社会人である場合、日中にビジネスに関係する情報に高い関心を持ち、夜にプライベートに関係する情報に関心を持つ傾向が高いと考えられる。そこで、第４の実施形態では、広告サーバ３は、共通表示メニューの表示時間によって異なる広告情報を選択する。
【００８５】
第４の実施形態に係る広告サーバ３の広告情報記憶部３１２は、広告情報と属性情報とに、広告情報を表示させる時間帯をさらに関連付けて記憶する。図１３は、第４の実施形態に係る広告管理情報の一例を示す図である。図１３に示す広告の表示時間帯の情報は、例えば、広告主が設定可能である。
【００８６】
第４の実施形態において、選択部３２３は、現在時刻が属する時間帯にさらに基づいて、広告情報記憶部３１２から広告情報を選択する。具体的には、選択部３２３は、共通表示メニューに関連する複数の属性のうち、時間帯に関連付けられた所定の属性を選択し、選択した属性に関連する広告情報を選択する。例えば、特定部３２２によって特定された共通表示メニューの属性に、「コンピュータ」及び「サッカー」が含まれており、現在時刻が２０時であるものとする。この場合、選択部３２３は、特定された属性に対応し、かつ、表示時間帯が現在時刻（２０時）に対応している広告情報として、広告ＩＤがＡ００００４の広告情報を選択する。
【００８７】
［第４の実施形態における効果］
以上のとおり、第４の実施形態の広告サーバ３は、現在時刻が属する時間帯にさらに基づいて、広告情報を選択するので、ユーザの生活リズムに対応して、当該ユーザに適した広告情報を選択することができる。
【００８８】
＜第５の実施形態＞
［ユーザの属性に基づいて広告情報を選択する］
続いて、第５の実施形態について説明する。第１の実施形態では、共通表示メニューの属性は、共通表示メニューに含まれる複数のリンクのそれぞれに対応するサービスコンテンツのアドレス情報に基づいて特定されていたことから、共通メニューの属性が多様となる。しかしながら、共通メニューの属性が多様である場合、全ての属性が端末１のユーザにとって関心の高い属性であるとは限らない。そこで、広告サーバ３は、端末１のユーザの行動履歴に基づいて、当該ユーザにとって関心が高いと考えられる属性を特定し、当該属性に対応する広告情報を選択する。
【００８９】
第５の実施形態において、端末１の記憶部１４は、端末１のユーザのウェブ上の行動履歴を示す行動履歴情報を記憶する。行動履歴情報は、端末１の制御部１５によって更新される。例えば、端末１の制御部１５は、端末１においてブラウザが起動され、端末受信部１５２がウェブコンテンツを受信した場合、商品等の販売サイトにおいて端末１のユーザが入力部１１を操作して商品等を購入した場合等に、ウェブコンテンツの受信履歴や、商品等の購入履歴等を行動履歴情報として記憶部１４に記憶させる。
【００９０】
端末送信部１５１は、広告情報の取得リクエストを広告サーバ３に送信する際に、共通表示メニューに含まれる複数のリンクのそれぞれに対応するサービスコンテンツのアドレス情報と、表示コンテンツのアドレス情報と、行動履歴情報とを広告サーバ３に送信する。
広告サーバ３の取得部３２１が、端末１から行動履歴情報を受信すると、特定部３２２は、当該行動履歴情報に基づいて端末１のユーザの属性を特定する。
【００９１】
具体的には、記憶部３１には、商品等と、当該商品等の属性とを関連付けた商品属性情報が記憶されている。特定部３２２は、商品属性情報を参照し、行動履歴情報に含まれている購入履歴に含まれている商品の属性を特定することにより、端末１のユーザの属性を特定する。
【００９２】
また、第５の実施形態において、属性管理情報記憶部３１１には、サービスコンテンツに関する属性情報に限らず、任意のウェブコンテンツに関する属性情報が記憶されている。特定部３２２は、属性管理情報記憶部３１１を参照し、行動履歴情報に含まれているウェブコンテンツの閲覧履歴に含まれているウェブコンテンツの属性を特定することにより、端末１のユーザの属性を特定する。
【００９３】
選択部３２３は、特定部３２２が特定したユーザの属性にさらに基づいて、広告情報記憶部３１２から広告情報を選択する。例えば、選択部３２３は、ユーザの属性が複数存在する場合、当該ユーザの属性の少なくともいずれかと関連し、かつ、共通表示メニュー又は表示コンテンツの属性と関連する広告情報を選択する。
【００９４】
［第５の実施形態における効果］
以上のとおり、第５の実施形態の広告サーバ３は、端末１のユーザの行動履歴に基づいて、当該ユーザの属性を特定し、当該ユーザの属性にさらに基づいて、広告情報を選択する。このようにすることで、広告サーバ３は、端末１のユーザが関心を持つ可能性の高い広告情報を優先的に選択することができ、広告が閲覧される可能性を高めることができる。
【００９５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。例えば、上記実施形態のメニュー生成サーバ２及び広告サーバ３は、１台のサーバによって構成されるようにしてもよい。
【符号の説明】
【００９６】
１・・・端末、１１・・・入力部、１２・・・表示部、１３・・・無線部、１４・・・記憶部、１５・・・制御部、１５１・・・端末送信部、１５２・・・端末受信部、１５３・・・表示制御部、２・・・メニュー生成サーバ、２１・・・記憶部、２１１・・・サービスパートナー情報記憶部、２２・・・制御部、２２１・・・サーバ受信部、２２２・・・アドレス特定部、２２３・・・生成部、２２４・・・サーバ送信部、３・・・広告サーバ、３１・・・記憶部、３１１・・・属性管理情報記憶部、３１２・・・広告情報記憶部、３２・・・制御部、３２１・・・取得部、３２２・・・特定部、３２３・・・選択部、３２４・・・広告送信部、４・・・コンテンツサーバ、５・・・通信ネットワーク、Ｓ・・・広告システム
【図１】
0006418804.tif 000002
【図２】
0006418804.tif 000003
【図３】
0006418804.tif 000004
【図４】
0006418804.tif 000005
【図５】
0006418804.tif 000006
【図６】
0006418804.tif 000007
【図７】
0006418804.tif 000008
【図８】
0006418804.tif 000009
【図９】
0006418804.tif 000010
【図１０】
0006418804.tif 000011
【図１１】
0006418804.tif 000012
【図１２】
0006418804.tif 000013
【図１３】
0006418804.tif 000014